(57)【特許請求の範囲】
【請求項１】
１以上のアンテナを有し、１以上のコンポーネントキャリアに対し、アップリンク電力制御手順を実行する無線通信装置であって、
前記無線通信装置においては、ＳＲＳ送信のために使用されるアンテナポート数が設定されており、
各コンポーネントキャリアのＳＲＳに対するアンテナの合計送信電力を決定し、
前記決定された合計送信電力を、前記設定されたアンテナポート間で等しく分配して割り当て、
前記合計送信電力は、少なくとも前記コンポーネントキャリアにおけるＰＲＢ数に基づく関数によって定義され、
前記ＰＲＢ数は、無線通信装置のＳＲＳに対して割り当てられるＰＲＢ数である、
ことを特徴とする無線通信装置。
【請求項２】
１以上のアンテナを有する無線通信装置に対して、１以上のコンポーネントキャリアに対するアップリンク電力制御手順を実行する基地局であって、
前記無線通信装置は、ＳＲＳ送信のために使用されるアンテナポート数を設定可能であり、
各コンポーネントキャリアのＳＲＳに対するアンテナの合計送信電力を決定し、
前記無線通信装置に対するアンテナポート数を設定し、
前記無線通信装置に対する前記アップリンク電力制御手順を、前記アンテナポート数に設定し、
前記合計送信電力は、少なくとも前記コンポーネントキャリアにおけるＰＲＢ数に基づく関数によって定義され、
前記ＰＲＢ数は、無線通信装置のＳＲＳに対して割り当てられるＰＲＢ数である、
ことを特徴とする基地局。
【請求項３】
１以上のアンテナを有する無線通信装置の１以上のコンポーネントキャリアに対する電力制御方法であって、
アップリンク送信に関し、ＳＲＳ送信のために使用されるアンテナポート数が設定されるＲＲＣ（無線リソース制御：radio resource control）信号設定ステップと、
各コンポーネントキャリアのＳＲＳに対するアンテナの合計送信電力を決定する第１のステップと、
前記第１のステップで決定された合計送信電力が、前記設定されたアンテナポート間で等しく分配して割り当てられる第２のステップと、を含み、
前記合計送信電力は、少なくとも前記コンポーネントキャリアにおけるＰＲＢ数に基づく関数によって定義され、
前記ＰＲＢ数は、無線通信装置のＳＲＳに対して割り当てられるＰＲＢ数である、
ことを特徴とする電力制御方法。
【請求項４】
１以上のアンテナを有し、１以上のコンポーネントキャリアに対し、アップリンク電力制御手順を実行する無線通信装置であって、
各コンポーネントキャリアのＰＵＳＣＨに対するアンテナの合計送信電力を決定し、
前記決定された合計送信電力の縮尺を変更し、
前記縮尺が変更された合計送信電力を、ＰＵＳＣＨが送信されるアンテナポート間で等しく分配して割り当て、
前記無線通信装置のアップリンク送信モードは、シングルアンテナポートモードまたはマルチアンテナポートモードのいずれかに設定されており、
前記合計送信電力は、少なくとも前記コンポーネントキャリアにおけるＰＲＢ数に基づく関数によって定義され、
前記ＰＲＢ数は、無線通信装置のＰＵＳＣＨに対して割り当てられるＰＲＢ数である、
ことを特徴とする無線通信装置。
【請求項５】
１以上のアンテナを有する無線通信装置に対して、１以上のコンポーネントキャリアに対するアップリンク電力制御手順を実行する基地局であって、
前記無線通信装置は、アップリンク送信モードを、シングルアンテナポートモードまたはマルチアンテナポートモードのいずれかに設定可能であり、
各コンポーネントキャリアのＰＵＳＣＨに対するアンテナの合計送信電力を決定し、
前記無線通信装置に対するアップリンク送信モードを、シングルアンテナポートモードまたはマルチアンテナポートモードのいずれかに設定し、
前記無線通信装置に対する前記アップリンク電力制御手順を、前記シングルアンテナポートモードまたは前記マルチアンテナポートモードのいずれかに設定し、
前記合計送信電力は、少なくとも前記コンポーネントキャリアにおけるＰＲＢ数に基づく関数によって定義され、
前記ＰＲＢ数は、無線通信装置のＳＲＳに対して割り当てられるＰＲＢ数である、
ことを特徴とする基地局。
【請求項６】
１以上のアンテナを有する無線通信装置の１以上のコンポーネントキャリアに対する電力制御方法であって、
アップリンク送信に関し、シングルアンテナポートモードまたはマルチアンテナポートモードのいずれかが設定されるＲＲＣ信号設定ステップと、
各コンポーネントキャリアのＰＵＳＣＨに対するアンテナの合計送信電力を決定する第１のステップと、
前記第１のステップで決定された合計送信電力の縮尺を変更する第２ステップと、
前記第２のステップで縮尺を変更された合計送信電力を、ＰＵＳＣＨが送信されるアンテナポート間で等しく分配して割り当てる第３ステップと、を含み、
前記合計送信電力は、少なくとも前記コンポーネントキャリアにおけるＰＲＢ数に基づく関数によって定義され、
前記ＰＲＢ数は、無線通信装置のＰＵＳＣＨに対して割り当てられるＰＲＢ数である、
ことを特徴とする電力制御方法。
【発明の詳細な説明】
【技術分野】
【０００１】
本開示は、無線通信システム一般に関する。より具体的には、本開示は、アンテナポートモードと送信モードとの移行のための無線通信装置、基地局および方法に関する。
【背景技術】
【０００２】
無線通信システムは、世界中の人々が通信することができる重要な手段となっている。無線通信システムは、基地局から個別にサービスを受ける多数の無線通信装置を提供する。
【０００３】
無線通信装置は、無線通信システムを介しての音声および／またはデータ通信に使用可能な電子装置である。あるいは、無線通信装置は、移動局、ユーザ機器、アクセス端末、加入者設備、移動端末、遠隔ステーション、ユーザ端末、端末、加入者ユニット、携帯機器などの語で呼ばれてもよい。無線通信装置は、携帯電話、スマートフォン、ＰＤＡ（personal digital assistant）、無線モデムなどであってもよい。
【０００４】
基地局は、複数の無線通信装置と通信する固定局（すなわち、固定された場所に設けられた無線通信局）である。あるいは、基地局は、アクセスポイント、ノードＢ、発展型ノードＢ（ｅＮＢ：evolved Node B）、または他の類似の用語で呼ばれてもよい。
【０００５】
3rd Generation Partnership Projectは、”３ＧＰＰ”とも呼ばれ、第３および第４世代の無線通信システムに関する世界共通の技術的仕様と技術報告書とを規定することを目的とした共同合意である。上記３ＧＰＰは、次世代のモバイルネットワーク、システムおよび装置に関する仕様を規定し得る。
【０００６】
３ＧＰＰ  ＬＴＥ（Long Term Evolution）は、将来的な要求に対応するＵＭＴＳ（Universal Mobile Telecommunication System）携帯電話や装置の標準規格を改善するプロジェクトに与えられた名称である。一形態において、ＵＭＴＳは、Ｅ−ＵＴＲＡ（Evolved Universal Terrestrial Radio Access）およびＥ−ＵＴＲＡＮ（Evolved Universal Terrestrial Radio Access Network）に関するサポートと仕様を提供するために修正されている。ＬＴＥ−Ａ（LTE-Advanced）は次世代のＬＴＥである。
【発明の概要】
【０００７】
無線通信装置が開示される。上記無線通信装置は、マルチアンテナポートモードからシングルアンテナポートモードへの自律的移行を行うアンテナモード部と、上記自律的移行について基地局に暗黙的に通知する、またはマルチアンテナポートモードからシングルアンテナポートモードへの移行を明示的に通知する送信部と、を備える。
【０００８】
無線通信装置におけるアンテナポートモードと送信モードとの状態移行のための方法が開示される。上記方法は、マルチアンテナポートモードからシングルアンテナポートモードへの自律的移行を行う工程と、上記自律的移行について基地局に暗黙的に通知する工程、または、マルチアンテナポートモードからシングルアンテナポートモードへの移行を明示的信号によって通知する工程とを含むことを特徴とする方法である。
【０００９】
基地局が開示される。上記基地局は、無線通信装置のマルチアンテナポートモードからシングルアンテナポートモードへの自律的移行を検出する検出部と、過去に上記無線通信装置に割り当てられていたリソースで、現在では該無線通信装置に使用されていないリソースを再割り当てする再割り当て部とを備えることを特徴とする基地局である。
【００１０】
基地局におけるアンテナポートモードと送信モードとの状態移行をサポートするための方法が開示される。上記方法は、無線通信装置のマルチアンテナポートモードからシングルアンテナポートモードへの自律的移行を検出する工程と、過去に上記無線通信装置に割り当てられていたリソースで、現在では該無線通信装置に使用されていないリソースを再割り当てする工程とを含むことを特徴とする方法である。
【００１１】
本発明の上記およびその他の目的、特徴および利点は、後述する発明の詳細な説明を添付の図面と合わせて検討することで、より容易に理解されるものとなろう。
【図面の簡単な説明】
【００１２】
【図１】基地局と無線電気通信を行う無線通信装置を含む無線通信システムを示す図である。
【図２】無線通信装置による、アンテナポートモードと送信モード間の移行の方法の第１の例を示す図である。
【図３】無線通信装置による、アンテナポートモードと送信モード間の移行の方法の第２の例を示す図である。
【図４】無線通信装置による、マルチアンテナポートモードからシングルアンテナポートモードへの自律的移行についての基地局への暗黙的な通知の方法の一例を示す図である。
【図５】無線通信装置による、マルチアンテナポートモードからシングルアンテナポートモードへの自律的移行についての基地局への暗黙的な通知の方法の別の例を示す図である。
【図６】無線通信装置による、無線リソース制御（ＲＲＣ：radio resource control）信号に基づく、マルチアンテナポートモードからシングルアンテナポートモードへの移行の方法を示す図である。
【図７】無線通信装置による、ＲＲＣ信号に基づく、シングルアンテナポートモードからマルチアンテナポートモードへの移行の方法を示す図である。
【図８】無線通信装置による、所定の期間経過後のシングルアンテナポートモードへの復帰の方法を示す図である。
【図９】無線通信装置による、特定の状況下でのシングルアンテナポートモードへの自律的移行の中止の方法を示す図である。
【図１０】基地局による、無線通信装置がマルチアンテナポートモードからシングルアンテナポートモードへ自律的に移行したことを検出した後のリソースの再割り当ての方法を示す図である。
【図１１】基地局による、無線通信装置がマルチアンテナポートモードからシングルアンテナポートモードへの自律的に移行したことを検出した後の、時間／周波数リソースのスケジューリングと、変調およびコーディングのスキームレベルを指示との方法を示す図である。
【図１２】基地局による、ＲＲＣ信号による無線通信装置のマルチアンテナポートモードからシングルアンテナポートモードへの移行の設定の方法を示す図である。
【図１３】基地局による、ＲＲＣ信号による無線通信装置のマルチアンテナポートモードからシングルアンテナポートモードへの移行の設定の別の方法を示す図である。
【図１４】基地局による、ＲＲＣ信号による無線通信装置のシングルアンテナポートモードからマルチアンテナポートモードへの移行の設定の方法を示す図である。
【図１５】基地局による、ＲＲＣ信号による無線通信装置のシングルアンテナポートモードからマルチアンテナポートモードへの移行の設定の別の方法を示す図である。
【図１６】基地局による、無線通信装置のシングルアンテナポートモードからマルチアンテナポートモードへの移行の設定後の、該無線通信装置のシングルアンテナポートモードへの自律的復帰の検出の方法を示す図である。
【図１７】アップリンク電力制御の手順を示す図である。
【図１８】図１７に示したアップリンク電力制御の手順の一態様のさらなる詳細を示す図である。
【図１９】図１７に示したアップリンク電力制御の手順の別の態様のさらなる詳細を示す図である。
【図２０】物理チャネルをドロップするか否かを決定するステップの実行前の送信電力割り当ての例を示す図である。
【図２１】物理チャネルをドロップするか否かを決定するステップの実行後の送信電力割り当ての例を示す図である。
【図２２】２個の２０ｄＢｍ電力増幅器（ＰＡ）を設定した状況における送信電力割り当ての例を示す図である。
【図２３】４個の１７ｄＢｍＰＡを設定した状況における送信電力割り当ての例を示す図である。
【図２４】周波数選択的送信ダイバーシティ（ＦＳＴＤ：frequency selective transmission diversity）として実施されるオープンループ送信ダイバーシティスキームの例を示す図である。
【図２５】空間−周波数ブロックコーディング（ＳＦＢＣ：space-frequency block coding）として実施されるオープンループ送信ダイバーシティスキームの例を示す図である。
【図２６】周期的遅延ダイバーシティ（ＣＤＤ：cyclic delay diversity）として実施されるオープンループ送信ダイバーシティスキームの例を示す図である。
【図２７Ａ】アンテナポート重み付け処理の一例を示す図である。
【図２７Ｂ】アンテナポート重み付け処理の別の例を示す図である。
【図２８】基地局による、上記無線通信装置で使用されるアンテナポート重み付け処理のパラメータ（ｘ）の設定の方法を示す図である。
【図２９】無線通信装置による、アンテナポート重み付け処理のパラメータ（ｘ）を上書きしたことの基地局への通知の方法の一例を示す図である。
【図３０】無線通信装置による、アンテナポート重み付け処理のパラメータ（ｘ）を上書きしたことの基地局への通知の方法の別の例を示す図である。
【図３１】無線通信装置による、アンテナポート重み付け処理のパラメータ（ｘ）を上書きしたことの基地局への通知の方法のさらに別の例を示す図である。
【図３２】無線通信装置において利用され得る様々な構成要素を示す図である。
【図３３】基地局において利用され得る様々な構成要素を示す図である。
【発明を実施するための形態】
【００１３】
本発明において開示されるシステムおよび方法の少なくともいくつかの態様は、３ＧＰＰ  ＬＴＥおよびＬＴＥ−Ａｄｖａｎｃｅｄ規格（Release-8およびRelease-10）と関連して記載される。しかしながら、本発明の範囲はこの点に限定されるものではない。本発明において開示されるシステムおよび方法の少なくともいくつかの態様は、他のタイプの無線通信システムにも利用され得るものである。
【００１４】
３ＧＰＰ規格において、無線通信装置は一般的にＵＥ（User Equipment）と呼ばれ、基地局は一般的にノードＢまたは発展型ノードＢ（ｅＮＢ：evolved Node B）と呼ばれる。しかしながら、本発明の範囲は３ＧＰＰ規格に限定されるものではないため、ここでは、より一般的な用語である”無線通信装置”および”基地局”を用いることとする。
【００１５】
図１は、本発明において開示される方法の少なくともいくつかが利用され得る無線通信システム１００を示す図である。システム１００は、無線通信装置１０４と無線電気通信を行う基地局１０２を含む。基地局１０２と無線通信装置１０４との間の通信は、ＬＴＥ−Ａｄｖａｎｃｅｄ規格に従って行われてもよい。無線通信装置１０４はマルチアンテナ１０６ａ、１０６ｂを含んでいてもよい。
【００１６】
無線通信装置１０４と基地局１０２の間に複数のアップリンク物理チャネルが存在してもよい。上記物理チャネルは、物理アップリンク共有チャネル（ＰＵＳＣＨ：Physical Uplink Shared Channel）１０８、物理アップリンク制御チャネル（ＰＵＣＣＨ：Physical Uplink Control Channel）１１０、および、サウンディング用のリファレンス信号（ＳＲＳ：Sounding Reference Signal）１１２が送信されるチャネルを含んでいてもよい。
【００１７】
無線通信装置１０４は、アンテナモード部１１４において少なくとも２つのアンテナポートモードを有していてもよく、複数の物理チャネルの送信モード１１６を有していてもよい。アンテナポートモード１１４は、シングルアンテナポートモード１１４ａとマルチアンテナポートモード１１４ｂとを含んでいてもよい。送信部内の送信モード１１６は、シングルアンテナ送信モード１１６ａ、送信ダイバーシティモード１１６ｂ、ＳＵ−ＭＩＭＯ（ランク１）モード１１６ｃ、ＳＵ−ＭＩＭＯ（ランク２またはそれ以上）モード１１６ｄ、およびＭＵ−ＭＩＭＯモード１１６ｅを含んでいてもよい。（ＳＵ−ＭＩＭＯは、Single-User, Multiple-Input-Multiple-Outputを、ＭＵ−ＭＩＭＯはMultiple-User, Multiple-Input-Multiple-Outputを、それぞれ表す。）
任意の時点において、無線通信装置１０４は、厳密に１つのアンテナポートモード１１４および厳密に１つの送信モード１１６の状態にあってもよい。１つのアンテナポートモード１１４と１つの送信モード１１６との組み合わせは１つの送信状態と見做されてもよい。
【００１８】
バッテリーの寿命延長、あるいは空間的リソースの適切な活用のために、無線通信装置１０４は、アンテナポートモード１１４と送信モード１１６間の移行を行えることが好ましい。本発明において開示されるシステムおよび方法の少なくともいくつかの態様は、これらのモード１１４、１１６間の移行に関する一貫性のある挙動を定義することに関連する。
【００１９】
無線通信装置１０４と基地局１０２との間に生じる通信の信頼性のために、基地局１０２は、現在稼働中の無線通信装置１０４のアンテナポートモード１１４を認識している必要がある。無線通信装置１０４が、基地局１０２からの信号を受信することなく自身のアンテナポートモード１１４を変更した（そしてそれによって送信状態を変更した）とき（アンテナポートモード１１４の“自律的”変更と呼ばれる）は、基地局１０２は、この変更／移行を検出し、自身の受信機および割り当て特性をアンテナポートモード１１４の上記変更に適応するように調整する必要がある。上記基地局は、上記移行を検出部１２０において検出可能である。さらに、基地局１０２が上記無線通信装置のアンテナポートモード１１４に関する情報を受信したか否かの判定を無線通信装置１０４が行えるように、アンテナポートモード１１４の変更にかかる判定について、基地局１０２による一貫性のある挙動を定義しておくことが有用であろう。基地局１０２はさらに、過去に無線通信装置１０４に割り当てられていたリソースで、現在では該無線通信装置に利用されていないリソースを再割り当てする再割り当て部１２２を備えていてもよい。本発明において開示される方法の少なくともいくつかの態様は、無線通信装置１０４が送信状態を変更したときに、基地局１０２と無線通信装置１０４との間の明示的な信号を最小化する状態移行メカニズムに関連する。
【００２０】
自律的なモード間の移行の使用を可能とすることによって２つの主要な効果がある。第１に、当該携帯端末のバッテリーの寿命をさらに延ばすうえで有用である。これは、送信のために２つの電力増幅器を使うことに利点がない場合に、その２つの電力増幅器を使わないことで達成される。第２に、上記基地局から上記携帯端末への信号を必要としないことで、ダウンリンク媒体上の時間周波数リソースを有効利用するうえで有用である。
【００２１】
図２は、無線通信装置１０４による、アンテナポートモード１１４と送信モード１１６間の移行の方法の第１の例を示す図である。この例は、第１のケース２１８と呼ばれてもよい。各送信モード１１６は、シングルアンテナポートモード１１４ａ、および／またはマルチアンテナポートモード１１４ｂに属していてもよい。例えば、シングルアンテナ送信モード１１６ａは、シングルアンテナポートモード１１４ａにのみ属していてもよい。送信ダイバーシティモード１１６ｂおよびＳＵ−ＭＩＭＯモード（ランク１）１１６ｃは、シングルアンテナポートモード１１４ａとマルチアンテナポートモード１１４ｂの両方に属していてもよい。ＳＵ−ＭＩＭＯモード（ランク２またはそれ以上）１１６ｄは、マルチアンテナポートモード１１４ｂにのみ属していてもよい。
【００２２】
図３は、無線通信装置１０４による、アンテナポートモード１１４と送信モード１１６間の移行の方法の第２の例を示す図である。この例は、第２のケース３２０と呼ばれてもよい。第２のケース３２０では、シングルアンテナ送信モード１１６ａは、シングルアンテナポートモード１１４ａにのみ属していてもよい。送信ダイバーシティモード１１６ｂおよびＳＵ−ＭＩＭＯモード（ランク１）１１６ｃは、マルチアンテナポートモード１１４ｂにのみ属していてもよい。ＳＵ−ＭＩＭＯモード（ランク２またはそれ以上）１１６ｄは、マルチアンテナポートモード１１４ｂにのみ属していてもよい。
【００２３】
無線通信装置１０４は、マルチアンテナポートモード１１４ｂからシングルアンテナポートモード１１４ａへ自律的に移行してもよい。この移行が起きたとき、無線通信装置１０４は、マルチアンテナポートモード１１４ｂからシングルアンテナポートモード１１４ａへの上記自律的移行について、基地局１０２に暗黙的に通知を行う。
【００２４】
図４は、無線通信装置１０４による、マルチアンテナポートモード１１４ｂからシングルアンテナポートモード１１４ａへの自律的移行についての基地局１０２への暗黙的な通知の方法の一例を示す図である。無線通信装置１０４がマルチアンテナポートモード１１４ｂにあるとき、マルチコード４２２ａ、４２２ｂ、ＳＲＳ１１２が送信される。無線通信装置１０４がシングルアンテナポートモード１１４ａへ（基地局１０２への明示的な信号を一切伴わずに）移行するとき、無線通信装置１０４は、１つのコード４２２ａのみでＳＲＳ１１２を送信する。基地局１０２は、無線通信装置１０４が１つのコード４２２ａのみでＳＲＳ１１２を送信したことを検出することにより、無線通信装置１０４がシングルアンテナポートモード１１４ａへ移行したと推定する。
【００２５】
図５は、無線通信装置１０４による、マルチアンテナポートモード１１４ｂからシングルアンテナポートモード１１４ａへの自律的移行についての基地局１０２への暗黙的な通知の方法の別の例を示す図である。無線通信装置１０４がマルチアンテナポートモード１１４ｂにあるとき、ＰＵＣＣＨ１１０がマルチリソースブロック（ＲＢ）５２４ａ、５２４ｂで送信されてもよい。無線通信装置１０４がシングルアンテナポートモード１１４ａへ（基地局１０２への明示的な信号を一切伴わずに）移行するとき、無線通信装置１０４は、ＰＵＣＣＨ１１０の送信に１つのＲＢ５２４ａのみを使用する。
【００２６】
ＰＵＣＣＨ１１０に関するＲＢ５２４の優先順位は事前に決められてもよい。例えば、図５では、低周波数（または外側の周波数）が高い優先度を有する。よって、無線通信装置１０４がシングルアンテナポートモード１１４ａへ移行したときは、低いＲＢ５２４ａ（または外側のＲＢ５２４ａ）が使用される。この場合、無線通信装置１０４がシングルアンテナポートモード１１４ａへ移行するときにどちらのＲＢ５２４がドロップされるかを基地局１０２に通知する信号は一切不要である。
【００２７】
次に、図６を参照されたい。図６は、無線通信装置１０４による、ＲＲＣ（Radio Resource control）信号に基づく、マルチアンテナポートモード１１４ｂからシングルアンテナポートモード１１４ａへの移行の方法６００を示す図である。より具体的には、図６は、無線通信装置１０４がＲＲＣ信号を受信（６０２）することを示している。ＲＲＣ信号の受信６０２に応じて、無線通信装置１０４は、１つ以上の物理チャネル１０８（例としてＰＵＳＣＨ１０８、ＰＵＣＣＨ１１０、ＳＲＳ１１２）に対し、シングルアンテナポートモード１１４ａへ移行（６０４）してよい。無線通信装置１０４がシングルアンテナポートモード１１４ａへ移行すると、無線通信装置１０４は、図４（ｂ）または図５（ｂ）に示したように、ＰＵＣＣＨ１１０またはＳＲＳ１１２を送信する。
【００２８】
図６で言及した上記ＲＲＣ信号は、ＰＵＳＣＨ１０８に関する送信モード１１６を含んでいてもよい。無線通信装置１０４が図３に示した第２のケース３２０（送信ダイバーシティモード１１６ｂ、ＳＵ−ＭＩＭＯモード（ランク１）１１６ｃ、およびＳＵ−ＭＩＭＯモード（ランク２）１１６ｄがマルチアンテナポートモード１１４ｂに属し、シングルアンテナ送信モード１１６ａがシングルアンテナポートモード１１４ａに属する）に従って設計された場合を想定した例を解説する。無線通信装置１０４が、送信ダイバーシティモード１１６ｂ、ＳＵ−ＭＩＭＯモード（ランク１）１１６ｃ、またはＳＵ−ＭＩＭＯモード（ランク２）１１６ｄであるときに、シングルアンテナ送信モード１１６ａへの移行を示すＰＵＳＣＨ送信モードのＲＲＣ信号を受信すると、無線通信装置１０４は、１つ以上の物理チャネルに関し、マルチアンテナポートモード１１４ｂからシングルアンテナポートモード１１４ａへ移行してもよい。
【００２９】
別の例として、図６で言及した上記ＲＲＣ信号は、アンテナポートモード１１４を含んでいてもよい。無線通信装置１０４は、アンテナポートモード１１４がシングルアンテナポートモード１１４ａになるべきであるとの指示を受信した時、１つ以上の物理チャネルに関し、シングルアンテナポートモード１１４ａへ移行してもよい。
【００３０】
次に、図７を参照されたい。図７の方法７００は、無線通信装置１０４が、ＲＲＣ信号を介して、シングルアンテナポートモード１１４ａからマルチアンテナポートモード１１４ｂに設定される様子を示している。より具体的には、図７は、無線通信装置１０４がＲＲＣ信号を受信（７０２）することを示している。ＲＲＣ信号の受信７０２に応じて、無線通信装置１０４は、１つ以上の物理チャネル１０８（例としてＰＵＳＣＨ１０８、ＰＵＣＣＨ１１０、ＳＲＳ１１２）に関し、マルチアンテナポートモード１１４ｂへ移行（７０４）してもよい。無線通信装置１０４がマルチアンテナポートモード１１４ｂへ移行する場合、無線通信装置１０４は、図４（ａ）または図５（ａ）に示したように、ＰＵＣＣＨ１１０またはＳＲＳ１１２を送信してもよい。
【００３１】
図７で言及した上記ＲＲＣ信号は、ＰＵＳＣＨ１０８に関する送信モード１１６を含んでいてもよい。無線通信装置１０４が図３に示した第２のケース３２０に従って構成された場合を想定した一例を解説する。無線通信装置１０４が、シングルアンテナ送信モード１１６ａから送信ダイバーシティモード１６６ｂ、ＳＵ−ＭＩＭＯモード（ランク１）１１６ｃ、またはＳＵ−ＭＩＭＯモード（ランク２）１１６ｄへの移行を示すＰＵＳＣＨ送信モードのＲＲＣ信号を受信した時、無線通信装置１０４は、１つ以上の物理チャネル（例としてＰＵＳＣＨ１０８、ＰＵＣＣＨ１１０、ＳＲＳ１１２）に関し、シングルアンテナポートモード１１４ａからマルチアンテナポートモード１１４ｂへ移行してもよい。
【００３２】
別の例として、図７で言及した上記ＲＲＣ信号は、アンテナポートモード１１４を含んでいてもよい。無線通信装置１０４が、アンテナポートモード１１４はマルチアンテナポートモード１１４ｂになるべきであるとの指示を受信した時、無線通信装置１０４は、１つ以上の物理チャネル（例としてＰＵＳＣＨ１０８、ＰＵＣＣＨ１１０、ＳＲＳ１１２）に関し、マルチアンテナポートモード１１４ｂへ移行するようにしてもよい。
【００３３】
次に、図８を参照されたい。図８の方法８００は、無線通信装置１０４が、所定の期間（図８においてＴとして図示されている）経過後に、シングルアンテナポートモード１１４ａへの復帰を試みる様子を示している。上記期間は、上位層信号または無線通信装置１０４に関するクラスパラメータのいずれかによって、無線通信装置１０４と基地局１０２の両方に通知されてもよい。
【００３４】
より具体的には、無線通信装置１０４がＲＲＣ信号を受信（８０２）すると、タイマーがリセットされ（８０４）、カウントを開始してもよい。無線通信装置１０４は、１つ以上の物理チャネルに関し、マルチアンテナポートモード１１４ｂへ移行（８０６）してもよい。無線通信装置１０４が、上記タイマーが所定の期間（Ｔ）を超過したと判定すると（８０８）、無線通信装置１０４は、シングルアンテナポートモード１１４ａへ自律的に復帰する（８１０）。
【００３５】
次に、図９を参照されたい。図９の方法９００は、無線通信装置１０４が、特定の状況下でシングルアンテナポートモード１１４ａへの自律的移行をどのように中止するかを示す図である。基地局１０２によるマルチアンテナポートモード１１４ｂへの移行の指示と、無線通信装置１０４のシングルアンテナポートモード１１４ａへの自律的移行との間のサイクルパターンが、所定の時間（図９においてＰとして図示）内に所定の回数（この回数はシステムパラメータとして設定されてもよい）発生すると、無線通信装置１０４は、シングルアンテナポートモード１１４ａへの自律的移行を中止してもよい。所定の時間（図９においてＱとして図示）が経過した後、無線通信装置１０４は、シングルアンテナポートモード１１４ａへの上記自律的移行を再開してもよい。
【００３６】
より具体的には、無線通信装置１０４は、ＲＲＣ信号を受信したか否かを判定（９０２）してもよい。受信したと判定すると、無線通信装置１０４は、１つ以上の物理チャネルに関し、マルチアンテナポートモード１１４ｂへ移行（９０４）してもよい。さらに、無線通信装置１０４は、タイムスタンプ”Ｔ１”を生成（９０６）してもよい。次に、無線通信装置１０４は、Ｎ（無線通信装置１０４がシングルアンテナポートモード１１４ａへ自律的に移行した回数を表す）が所定の上限値（図９において“所定の回数”として図示）を超過したか否かを判定（９０８）してもよい。超過していないと判定すると、無線通信装置１０４は、シングルアンテナポートモード１１４ａへ自律的に復帰（９１０）してもよい。無線通信装置１０４は、タイムスタンプ“Ｔ２”を生成（９１２）してもよい。さらに、無線通信装置１０４は、Ｔ２−Ｔ１＜Ｐ（Ｐは上記所定の時間を示す）であるか否かを判定（９１４）してもよい。Ｔ２−Ｔ１＜Ｐでない場合、Ｎの値がリセット（９１６）されてもよく、方法９００はステップ９０２に戻り、上記の処理を継続してもよい。
【００３７】
ステップ９０８において、Ｎが上記所定の上限値を超過したと判定されると、上記方法は、ステップ９０２に（シングルアンテナポートモード１１４ａに復帰（９１０）せずに）戻り、上記の処理を継続してもよい。ステップ９１４において、Ｔ２−Ｔ１の値がＰ未満であると判定されると、方法９００は、ステップ９０２に（Ｎのリセット（９１４）をせずに）戻り、上記の処理を継続してもよい。ステップ９０２において、ＲＲＣ信号が受信されていないと判定されると、無線通信装置１０４は、タイムスタンプ“Ｔ３”を生成（９１８）してもよい。Ｔ３−Ｔ１＞Ｑ（Ｑは上記所定の期間）の場合、Ｎの値がリセット（９２０）されてもよい。そして方法９００は、ステップ９０８に進み、上記の処理を継続してもよい。
【００３８】
基地局１０２は、無線通信装置１０４のマルチアンテナポートモード１１４ｂからシングルアンテナポートモード１１４ａへの自律的移行を検出してもよい。例えば、基地局１０２が、マルチアンテナポートモード１１４ｂの無線通信装置１０４に対し、複数（例えば２個か４個）のコード４２２を割り当てているとする。無線通信装置１０４がマルチアンテナポートモード１１４ｂであるという情報が基地局１０２に示されているにもかかわらず、１つのコード４２２ａのみでＳＲＳ１１２が送信（図４（ｂ）にて図示）されたことを基地局１０２が検出すると、基地局１０２は、無線通信装置１０４がマルチアンテナポートモード１１４ｂからシングルアンテナポートモード１１４ａへ自律的に移行したと見做してもよい。
【００３９】
別の例として、基地局１０２が、マルチアンテナポートモード１１４ｂである無線通信装置１０４に対し、複数（例えば２個）のＲＢ５２４を割り当てているとする。無線通信装置１０４がマルチアンテナポートモード１１４ｂであるという情報が基地局１０２に示されているにもかかわらず、無線通信装置１０４がＰＵＣＣＨ１１０に関し１つのＲＢ５２４ａのみを使用（図５（ｂ）にて図示）していることを検出すると、基地局１０２は、無線通信装置１０４がマルチアンテナポートモード１１４ｂからシングルアンテナポートモード１１４ａへ自律的に移行したと見做してもよい。
【００４０】
本発明のいくつかの実施形態において、上記マルチアンテナポートモードから上記シングルアンテナポートモードへの自律的移行は、図６で示されているように、無線リソース制御（ＲＲＣ）信号に基づいて行われてよい。
【００４１】
本発明のいくつかの実施形態は、上記基地局によって上記マルチアンテナポートモードに設定された後所定の期間を経過したとき、上記無線通信装置が上記シングルアンテナポートモードへ復帰する工程を含む方法を開示する。
【００４２】
本発明のいくつかの実施形態は、上記基地局による上記無線通信装置に対する上記マルチアンテナポートモードへの移行の指示と、上記無線通信装置による上記シングルアンテナポートモードへの自律的移行との間のサイクルパターンが所定の回数発生したとき、上記無線通信装置が上記マルチアンテナポートモードへの自律的移行を中止する工程を含む方法を開示する。
【００４３】
本発明のいくつかの実施形態では、上記無線通信装置がオープンループ送信ダイバーシティスキームを利用した送信ダイバーシティモードにあり、上記無線通信装置において使用されるアンテナポート重み付けベクトルがパラメータｘに依存し、上記無線通信装置の上記マルチアンテナポートモードから上記シングルアンテナポートモードへの自律的移行が、上記無線通信装置の上記ｘの値を自律的に選択する工程を含む方法を開示する。
【００４４】
本発明のいくつかの実施形態では、上記無線通信装置は、該無線通信装置がアンテナゲインの均衡の大きな崩れを観測したことに応じて、上記シングルアンテナポートモードへ移行するための上記ｘの値を自律的に選択する方法を開示する。
【００４５】
本発明のいくつかの実施形態では、上記無線通信装置は、該無線通信装置が現在のバッテリー残量が少ないことを検出したことに応じて、上記シングルアンテナポートモードへ移行するための上記ｘの値を自律的に選択する方法を開示する。
【００４６】
本発明のいくつかの実施形態では、上記オープンループ送信ダイバーシティスキームが、空間−周波数ブロックコーディング（ＳＦＢＣ）、空間−時間ブロックコーディング（ＳＴＢＣ）、周波数選択的送信ダイバーシティ（ＦＳＴＤ）、および周期的遅延ダイバーシティ（ＣＤＤ）からなるグループより選択される方法を開示する。
【００４７】
本発明のいくつかの実施形態では、上記アンテナポート重み付けベクトルは、ｘおよび
【００４８】
【数１】
0005508554.tif 000002
のうち少なくとも１つである方法を開示する。
【００４９】
次に、図１０を参照されたい。図１０の方法１０００は、基地局１０２は、第１の無線通信装置１０４がマルチアンテナポートモード１１４ｂからシングルアンテナポートモード１１４ａに自律的に移行したことを一旦検出（１００２）すると、基地局１０２は、上記第１の無線通信装置１０４の状態をシングルアンテナポートモード１１４ａに変更（１００４）し、上記第１の無線通信装置１０４にもはや現在では使用されていないリソースの一部を、第２の無線通信装置１０４に再割り当て（１００６）してもよいことを示している。例えば、上記第１の無線通信装置１０４に関する、図４に示した第２のコード４２２ｂおよび／または図５に示した第２のＲＢ５２４ｂは、上記第１の無線通信装置１０４に対する信号を一切伴わずに、上記第２の無線通信装置１０４に再割り当てされてもよい。
【００５０】
次に、図１１を参照されたい。図１１の方法１１００は、基地局１０２が、第１の無線通信装置１０４がマルチアンテナポートモード１１４ｂからシングルアンテナポートモード１１４ａに自律的に移行したことを一旦検出（１１０２）すると、基地局１０２は、上記第１の無線通信装置１０４の状態をシングルアンテナポートモード１１４ａに変更（１１０４）してもよいことを示している。基地局１０２が、割り当てアルゴリズムによって決定される目的（例えば収支、容量、最適化、その他このような指標）のために、無線通信装置１０４のアンテナポートモード１１４をシングル１１４ａからマルチ１１４ｂへ変更することを決定しない限り（および決定するまで）は、基地局１０２は、無線通信装置１０４がシングル入力・シングル出力の送信（これはシングルアンテナポートモード１１４ａであることを暗黙的に示すものである）を実行したと想定して、時間／周波数リソースを割り当てる（１１０６）とともに、変調とコーディングスキームレベルとを指示してもよい。
【００５１】
基地局１０２は、ＲＲＣ信号によって、無線通信装置１０４（特に、無線通信装置１０４のアンテナモード部１１４）をマルチアンテナポートモード１１４ｂからシングルアンテナポートモード１１４ａへ移行するように設定してもよい。上記ＲＲＣ信号は、ＰＵＳＣＨ送信モードを含んでいてもよい。例えば、図１２に示す方法１２００を参照されたい。基地局１０２は、第１の無線通信装置１０４に対してシングルアンテナ送信モード１１６ａへ移行するよう、ＲＲＣ信号に含まれるＰＵＳＣＨ送信モードパラメータを用いて通知（１２０２）してもよい。次に、基地局１０２は、上記第１の無線通信装置１０４の状態をシングルアンテナポートモード１１４ａに変更（１２０４）し、上記第１の無線通信装置１０４にもはや現在では使用されていないリソースの一部を、第２の無線通信装置１０４に再割り当て（１２０６）してもよい。
【００５２】
別の例として、図１３に示す方法１３００を参照されたい。方法１３００において、明示的なアンテナポートモードパラメータは、ＲＲＣ信号によって設定されてもよい。基地局１０２は、上記第１の無線通信装置１０４の状態をシングルアンテナポートモード１１４ａに変更（１３０２）してもよい。基地局１０２はさらに、ＲＲＣ信号に含まれるアンテナポートパラメータを用いて、上記第１の無線通信装置１０４のアンテナポートモード１１４をシングルアンテナポートモード１１４ａに設定（１３０４）してもよい。上記基地局が上記第１の無線通信装置１０４の状態を一旦変更（１３０２）すると、基地局１０２は、上記第１の無線通信装置１０４にもはや現在では使用されていないリソースの一部を、第２の無線通信装置１０４に再割り当て（１３０６）してもよい。
【００５３】
基地局１０２は、ＲＲＣ信号によって、無線通信装置１０４をシングルアンテナポートモード１１４ａからマルチアンテナポートモード１１４ｂへ移行するように設定してもよい。例えば、図３にて示した第２のケース３２０を想定されたい。基地局１０２は、ＲＲＣ信号に含まれるＰＵＳＣＨ送信モードパラメータを用いて、無線通信装置１０４に、送信ダイバーシティモード１６６ｂまたはＳＵ−ＭＩＭＯモード（ランク１）１１６ｃへ移行するよう通知してもよい。
【００５４】
図１４に示す方法１４００を参照されたい。方法１４００において、基地局１０２は、第２の無線通信装置１０４のリソースを第１の無線通信装置１０４に再割り当て（１４０２）してもよい。例えば、図４にて示した第２のコード４２２ｂおよび／または図５にて示した第２のＲＢ５２４ｂが、上記第１の無線通信装置１０４に再割り当て（１４０２）されてもよい。次に、基地局１０２は、上記第１の無線通信装置１０４の状態をマルチアンテナポートモード１１４ｂに変更（１４０４）し、上記無線通信装置１０４に対して送信ダイバーシティモード１６６ｂまたはＳＵ−ＭＩＭＯモード（ランク１）１１６ｃへ移行するよう、ＲＲＣ信号に含まれるＰＵＳＣＨ送信モードパラメータを用いて指示（１４０６）してもよい。
【００５５】
別の例として、図２にて示した第１のケース２１８（送信ダイバーシティモード１１６ｂおよびＳＵ−ＭＩＭＯモード（ランク１）１１６ｃがマルチアンテナポートモード１１４ｂとシングルアンテナポートモード１１４ａとの両方に属する）を想定されたい。この例では、明示的なアンテナポートモードパラメータが、ＲＲＣ信号によって設定されてもよい。図１５に示す方法１５００を参照されたい。方法１５００において、基地局１０２は、第２の無線通信装置１０４のリソースを第１の無線通信装置１０４に再割り当て（１５０２）してもよい。例えば、図４にて示した第２のコード４２２ｂおよび／または図５にて示した第２のＲＢ５２４ｂが、上記第１の無線通信装置１０４に割り当て（１５０２）られてもよい。次に、基地局１０２は、上記第１の無線通信装置１０４の状態をマルチアンテナポートモード１１４ｂに変更（１５０４）し、上記第１の無線通信装置１０４に対しマルチアンテナポートモード１１４ｂへ移行するよう、ＲＲＣ信号に含まれるアンテナポートモードパラメータを用いて指示（１５０６）してもよい。
【００５６】
無線通信装置１０４が、基地局１０２からのマルチアンテナポートモード１１４ｂへの移行の指示の後に、シングルアンテナポートモード１１４ａへ復帰する場合、基地局１０２は、シングル入力・シングル出力の送信が無線通信装置１０４によって実行されたと想定して、時間／周波数リソースを割り当て、変調およびコーディングのスキームレベルを指示してもよい。これは、基地局１０２がマルチアンテナポートモード１１４ｂを再構築するＲＲＣコマンドを再送信し、無線通信装置１０４のアンテナポートモード１１４をシングル１１４ａからマルチ１１４ｂに変更することを決定する時点まで継続してもよい。
【００５７】
本発明のいくつかの実施形態が開示する方法は、上記基地局が、上記無線通信装置のアンテナポートモードを無線リソース制御（ＲＲＣ）信号によって設定する工程を含むことを特徴とする。
【００５８】
本発明のいくつかの実施形態では、上記無線通信装置は、オープンループ送信ダイバーシティスキームを利用した送信ダイバーシティモードにあり、上記無線通信装置において使用されるアンテナポート重み付けベクトルはパラメータｘに依存し、上記基地局が、上記無線通信装置のアンテナポートモードを上記ｘの値の設定によって設定する工程を含む方法を開示する。
【００５９】
本発明のいくつかの実施形態では、上記基地局が上記無線通信装置におけるアンテナゲインの均衡の崩れを推定する工程を含む、上記基地局が上記無線通信装置のアンテナポートモードをｘの値の設定によって設定する方法を開示する。
【００６０】
本発明のいくつかの実施形態では、上記基地局が、上記無線通信装置に対し、上記ｘの値を物理ダウンリンク制御チャネルによって通知する工程を含む方法を開示する。
【００６１】
本発明のいくつかの実施形態では、上記基地局がアップリンク送信電力制御手順を実行する工程を含み、上記アップリンク送信電力制御手順は、上記基地局が各コンポーネントキャリアに対する合計送信電力を決定する工程を含む方法を開示する。
【００６２】
図１６に示す方法１６００を参照されたい。方法１６００において、基地局１０２は、第２の無線通信装置１０４から第１の無線通信装置１０４へリソースを再割り当て（１６０２）してもよい。次に、基地局１０２は、上記第１の無線通信装置１０４の状態をマルチアンテナポートモード１１４ｂに変更（１６０４）し、上記第１の無線通信装置１０４に対しマルチアンテナポートモード１１４ｂへ移行するよう、ＲＲＣ信号に含まれるアンテナポートモードパラメータを用いて指示（１６０６）してもよい。無線通信装置１０４によるシングルアンテナポートモード１１４ａへの自律的移行が検出（１６０８）されると、方法１６００は、ステップ１６０４に戻り、上記の処理が継続されてもよい。
【００６３】
本発明が開示するシステムおよび方法の別の態様は、複数のアンテナ送信モードおよび複数の物理チャネルをサポートするためのアップリンク送信電力制御に関する。図１７に示す方法１７００を参照されたい。方法１７００において、アップリンク電力制御手順は２つのステップを含んでいてもよい。第１のステップは、各コンポーネントキャリア（ＣＣ：component carrier）に対する合計送信電力を決定する（１７０２）ステップである。第２のステップは、各アンテナ１０６に対し上記送信電力をどのように割り当てるかを決定する（１７０４）ステップである。無線通信装置１０４は、第１のステップ１７０２と第２のステップ１７０４とを両方実行してもよい。基地局１０２は、第１のステップ１７０２のみを実行してもよい。第２のステップ１７０４（各アンテナ１０６に対する送信電力の割り当て）は、無線通信装置１０４がシングルアンテナポートモード１１４ａにあるかマルチアンテナポートモード１１４ｂにあるかにより異なっていてもよく、電力増幅器（ＰＡ：power amplifier）の設定次第であってもよい。
【００６４】
図１８は、第１のステップ１７０２（すなわち各ＣＣに対する合計送信電力の決定）の詳細を示す図である。図１８に示すように、第１のステップ１７０２は、２つのサブステップ１８０２、１８０４を含んでいてもよい。第１のサブステップ１８０２は、各ＣＣに対する合計送信電力を決定する工程である。第２のサブステップ１８０４は、任意の物理チャネルについてドロップするか否かを決定する工程である。いくつかのケースでは、第２のサブステップ１８０４は省略されてもよい。
【００６５】
第１のサブステップ１８０２の詳細は上記物理チャネルに拠る。ＰＵＳＣＨ１０８に関しては、各ＣＣに対する送信電力は式（１）で定義される。
PPUSCH(i,k)=min{PMAX,10・log10MPUSCH(i,k)+P0_PUSCH(k)+α(k)・PL(k)+ΔTF(i,k)+f(i,k)}
・・・（１）
式（１）は、単位ｄＢｍで表される。式（１）において、ｋはアップリンクＣＣの番号であり、ｉはサブフレームの番号である。ＰＭＡＸは最大許容電力の合計である。ＭＰＵＳＣＨ（ｉ，ｋ）は、ｋ番目のアップリンクＣＣにおける、連続的または不連続的なＰＲＢの数である。Ｐ０＿ＰＵＳＣＨ（ｋ）は、セル固有の要素（Ｐ０＿ＮＯＭＩＮＡＬ＿ＰＵＳＣＨ（ｋ））と、無線通信装置固有の要素（Ｐ０＿ＵＥ＿ＰＵＳＣＨ（ｋ））との合計である。α（ｋ）は、ｋ番目のアップリンクＣＣに関する送信電力制御（ＴＰＣ：transmission power control）セルに固有のパラメータであり、０≦α（ｋ）≦１の小数（分数）の値を取る。ＰＬ（ｋ）は、ｋ番目のダウンリンクＣＣに関するダウンリンク経路損失の推定値である。
【００６６】
【数２】
0005508554.tif 000003
上式において、Ｋｓ（ｋ）＝０または１．２５であり、ＴＢＳ（ｉ，ｋ）は送信周波数帯域（ＴＢ：transmission bandwidth）のサイズであり、
【００６７】
【数３】
0005508554.tif 000004
である。式f(i,k)=f(i-1,k)+δPUSCH(i,k)は、累積をリセットした後にｆ（０，ｋ）が最初の値となるサブフレームｉの間、ＣＬ  ＴＰＣコマンドδＰＵＳＣＨ（ｉ，ｋ）を累積する関数である。
【００６８】
ＰＵＣＣＨ１１０に関しては、各ＣＣに対する送信電力は式（２）で定義される。
PPUCCH(i,k)=min{PMAX,10・log10MPUCCH(i,k)+P0_PUCCH(k)+PL(k)+h(・)+ΔF_PUCCH(F)+g(i,k)}
・・・（２）
式（２）は、単位ｄＢｍで表される。式（２）において、ｋはアップリンクＣＣの番号であり、ｉはサブフレームの番号である。ＭＰＵＣＣＨ（ｉ，ｋ）は、ｋ番目のアップリンクＣＣにおけるＰＵＣＣＨに割り当てられた直交リソースの数である。Ｐ０＿ＰＵＣＣＨ（ｋ）は、セル固有の要素（Ｐ０＿ＮＯＭＩＮＡＬ＿ＰＵＣＣＨ（ｋ））と、無線通信装置固有の要素（Ｐ０＿ＵＥ＿ＰＵＣＣＨ（ｋ））との合計である。ＰＬ（ｋ）は、ｋ番目のアップリンクにおいて推定される経路損失である。式ｈ（・）はＰＵＣＣＨのフォーマットに依存する値である。式ΔＦ＿ＰＵＣＣＨ（Ｆ）は、フォーマット１ａに関連するＰＵＣＣＨのフォーマット（Ｆ）に対応する。ｇ（ｉ，ｋ）の式は、ｋ番目のＣＣにおけるＣＬ  ＴＰＣコマンドを蓄積する関数である。
【００６９】
ＰＵＣＣＨに関する上記直交リソースは、特定の無線通信装置に割り当てられた直交コードおよび周波数リソースを意味していてもよい。直交コードは、Ｚａｄｏｆｆ−Ｃｈｕシーケンスおよび直交カバー（例えば、Ｗａｌｓｈコード）を含む。周波数リソースは、３ＧＰＰ  ＬＴＥ  Ｒｅｌｅａｓｅ  ８で用いられる用語で、リソースブロック（ＲＢ）を意味する。従って、ある無線通信装置に２つの異なるＺａｄｏｆｆ−Ｃｈｕシーケンスと同一のＲＢとが割り当てられた場合、この状況を２つの直交リソースが該無線通信装置に割り当てられていると言ってよい。ある無線通信装置に同一のＺａｄｏｆｆ−Ｃｈｕシーケンスと２つの異なるＲＢとが割り当てられた場合、この状況を２つの直交リソースが該無線通信装置に割り当てられていると言ってよい。
【００７０】
別の例において、ＰＵＣＣＨ１１０に関しては、各ＣＣに対する送信電力は式（２−１）で定義される。
PPUCCH(i,k)=min{PMAX,P0_PUCCH(k)+PL(k)+h(・)+ΔF_PUCCH(F)+g(i,k)}     ・・・（２−１）
式（２−１）は、単位ｄＢｍで表される。式（２）において、ｋはアップリンクＣＣの番号であり、ｉはサブフレームの番号である。Ｐ０＿ＰＵＳＣＨ（ｋ）は、セル固有の要素（Ｐ０＿ＮＯＭＩＮＡＬ＿ＰＵＣＣＨ（ｋ））と、無線通信装置固有の要素（Ｐ０＿ＵＥ＿ＰＵＣＣＨ（ｋ））との合計である。ＰＬ（ｋ）は、ｋ番目のアップリンクにおいて推定される経路損失である。式ｈ（・）はＰＵＣＣＨのフォーマットに依存する値である。式ΔＦ＿ＰＵＣＣＨ（Ｆ）は、フォーマット１ａに関連するＰＵＣＣＨのフォーマット（Ｆ）に対応する。式ｇ（ｉ，ｋ）は、ｋ番目のＣＣにおけるＣＬ  ＴＰＣコマンドを蓄積する関数である。
【００７１】
ＳＲＳ１１２に関しては、各ＣＣに対する送信電力は式（３）で定義される。
PSRS(i,k)=min{PMAX,PSRS_OFFSET(k)+10・log10MSRS(k)+P0_PUSCH(k)+α(k)・PL(k)+f(i,k)}
・・・（３）
式（３）は、単位ｄＢｍで表される。式（３）において、ｋはアップリンクＣＣの番号であり、ｉはサブフレームの番号である。ＰＳＲＳ＿ＯＦＦＳＥＴ（ｋ）は、無線通信装置固有のパラメータである。ＭＳＲＳ（ｋ）は、ｋ番目のアップリンクＣＣにおける、ＰＲＢにおけるＳＲＳ送信周波数帯域である。その他のパラメータは、ｋ番目のアップリンクＣＣにおけるＰＵＳＣＨ送信に関して定義された通りである。
【００７２】
図１９を参照されたい。図１９は、第２のサブステップ１８０４（すなわち物理チャネルをどのようにドロップするかの決定）の詳細を示す図である。推定された送信電力と上記最大送信電力とが比較（１９０２）される。上記推定された送信電力が上記最大送信電力よりも小さい場合、該方法は第２のステップ１７０４に進む。それ以外の場合は、事前に設定された優先度に基づき、上記物理チャネルがドロップ（１９０４）される。次に、上記方法は、上記推定された送信電力と上記最大送信電力との比較（１９０２）に戻る。
【００７３】
上記推定された送信電力と上記最大送信電力との比較（１９０２）のために、“推定された送信電力”は以下のように定義される。
【００７４】
【数４】
0005508554.tif 000005
・・・（４）
上記最大送信電力は、合計送信電力によって定義されてもよい。上記最大送信電力は、無線通信装置１０４の電力クラス（政府の定める規定により制限されていてもよい）によって定義されてもよい。例えば、上記最大送信電力は２３ｄＢｍ、２１ｄＢｍ、２５ｄＢｍ等であってもよい。
【００７５】
式（４）において、ｎＰＵＳＣＨ、ｎＰＵＣＣＨ、およびｎＳＲＳはそれぞれ以下を表す。ＰＵＳＣＨ１０８が特定のシンボル（ｉ番目のサブフレーム、ｎｎｓスロット、ｌ番目のシンボル、およびｋ番目のコンポーネントキャリア）に割り当てられた場合、式ｎＰＵＳＣＨ（ｉ，ｎｎｓ，ｌ，ｋ）＝１である。ＰＵＳＣＨ１０８が特定のシンボル（ｉ番目のサブフレーム、ｎｎｓスロット、ｌ番目のシンボル、およびｋ番目のコンポーネントキャリア）に割り当てられなかった場合、ｎＰＵＳＣＨ（ｉ，ｎｎｓ，ｌ，ｋ）＝０である。ＰＵＣＣＨ１１０が特定のシンボル（ｉ番目のサブフレーム、ｎｎｓスロット、ｌ番目のシンボル、およびｋ番目のコンポーネントキャリア）に割り当てられた場合、ｎＰＵＣＣＨ（ｉ，ｎｎｓ，ｌ，ｋ）＝１である。ＰＵＣＣＨ１１０が特定のシンボル（ｉ番目のサブフレーム、ｎｎｓスロット、ｌ番目のシンボル、およびｋ番目のコンポーネントキャリア）に割り当てられなかった場合、ｎＰＵＣＣＨ（ｉ，ｎｎｓ，ｌ，ｋ）＝０である。ＳＲＳ１１２が特定のシンボル（ｉ番目のサブフレーム、ｎｎｓスロット、ｌ番目のシンボル、およびｋ番目のコンポーネントキャリア）に割り当てられた場合、ｎＰＵＳＣＨ（ｉ，ｎｎｓ，ｌ，ｋ）＝１はである。ＳＲＳ１１２が特定のシンボル（ｉ番目のサブフレーム、ｎｎｓスロット、ｌ番目のシンボル、およびｋ番目のコンポーネントキャリア）に割り当てられなかった場合、ｎＰＵＳＣＨ（ｉ，ｎｎｓ，ｌ，ｋ）＝０である。
【００７６】
上記物理チャネルの、事前に設定された優先順位は以下のようであってもよい。一般に、優先順位は、上記物理チャネルをどのように順序付けてもよく、基地局の割り当てや制御によって決定されたものであってもよい。一例として、低周波数ＰＵＣＣＨ＞＞＞高周波数ＰＵＣＣＨ＞低周波数ＰＵＳＣＨ＞＞高周波数ＰＵＳＣＨ、としてもよい。別の例として、低周波数ＰＵＣＣＨ＞＞低周波数ＰＵＳＣＨ＞＞高周波数ＰＵＣＣＨ＞＞高周波数ＰＵＳＣＨ、としてもよい。別の例として、低周波数ＰＵＣＣＨ＞＞＞高周波数ＰＵＣＣＨ＞低周波数ＳＲＳ＞＞高周波数ＳＲＳ、としてもよい。別の例として、低周波数ＰＵＣＣＨ＞＞＞高周波数ＰＵＣＣＨ＞低周波数ＳＲＳ＞＞高周波数ＳＲＳ＞＞＞低周波数ＰＵＳＣＨ＞＞高周波数ＰＵＳＣＨ、としてもよい。別の例として、低周波数ＳＲＳ＜＜低周波数ＰＵＣＣＨ＜＜低周波数ＰＵＳＣＨ＜＜高周波数ＳＲＳ＜＜高周波数ＰＵＣＣＨ＜＜低周波数ＰＵＳＣＨ＞＞高周波数ＰＵＳＣＨ、としてもよい。上記推定された送信電力が上記最大送信電力より小さくなるまで、いくつかの物理チャネルはこの順序に基づいてドロップされてもよい。一例が、図２０および図２１に示されている。図２０は、物理チャネルをドロップするか否かを決定するステップ１８０４の実行前の、上記送信電力の割り当てを示す図である。図２１は、上記ステップ１８０４の実行後の、上記送信電力の割り当てを示す図である。
【００７７】
上記のアップリンク電力制御手順が適用されると、基地局１０２は、各無線通信装置１０４が異なる電力増幅器（ＰＡ：power amplifier）の設定を有している場合であっても、電力制御のために、無線通信装置１０４のＰＡ設定を無視することができる。換言すれば、電力制御はＰＡ設定と独立の関係であってもよい。従って、シングルアンテナポートモード１１４ａとマルチアンテナポートモード１１４ｂとの間の移行において要求される信号をより少なくすることができる。また、シングルアンテナポートモード１１４ａとマルチアンテナポートモード１１４ｂで共通の電力制御式を使用するため、両者間での急激な電力変化は起こらないと考えられる。
【００７８】
無線通信装置は、該無線通信装置が行うアップリンク電力制御手順において、第１のステップ１７０２と第２のステップ１７０４の両方を有していてもよい。基地局１０２は、該基地局が行うアップリンク電力制御手順において、第１のステップ１７０２のみを含んでいてもよい。基地局１０２は、基地局１０２が行うアップリンク電力制御手順において、上記ＰＡ設定と、無線通信装置１０４のアンテナポートモード１１４を無視してもよい。
【００７９】
シングルアンテナポートモード１１４ａにおいて、送信電力の割り当ては、ＰＡ設定に依存して、アンテナ１０６ａと１０６ｂとで異なっている。例えば、２個または４個の２３ｄＢｍのＰＡを設定するケースにおいて、シングルアンテナポートモード１１４ａは、１個のＰＡのみを物理的に使用してもよい。換言すれば、図２１にて示した、１つのアンテナ１０６ａに対する送信電力と同じ送信電力が割り当てられる。残りのアンテナ１０６ｂには電力が割り当てられない。２個の２０ｄＢｍのＰＡを設定するケースにおいて、シングルアンテナポートモード１１４ａは、２個のＰＡを物理的に使用してもよく、各アンテナ１０６ａ、１０６ｂに割り当てられた送信電力が図２２に示されるようなものであってもよい。４個の１７ｄＢｍのＰＡを設定するケースにおいて、シングルアンテナポートモード１１４ａは、２個のＰＡを物理的に使用してもよく、各アンテナ１０６に割り当てられた送信電力は図２３に示されるようなものであってもよい。マルチアンテナポートモード１１４ｂにおいて、２個のアンテナ１０６ａ、１０６ｂに関し、図２２に示されるように、上記送信電力の２分の１が各アンテナ１０６に割り当てられてもよい。４個のアンテナ１０６を使用するケースでは、図２３に示されるように、上記送信電力の４分の１が各アンテナ１０６に割り当てられてもよい。
【００８０】
ＳＵ−ＭＩＭＯモード（ランク１）１１６ｃにおいて、無線通信装置１０４は、１つのアンテナ１０６のみを物理的に使用してもよい。この状況をアンテナ停止ベクトルが使用されていると称してもよい。アンテナ停止ベクトルが使用されると、無線通信装置１０４は、シングルアンテナポートモード１１４ａにあると見做される。換言すれば、図２１で示される、１つのアンテナ１０６ａに対する送信電力と同じ送信電力が割り当てられる。残りのアンテナ１０６ｂには電力が割り当てられない。
【００８１】
本開示の少なくともいくつかの態様は、シングルおよびマルチアンテナ送信スキームの両方を可能にする送信ダイバーシティの実施例に関する。上記ＰＵＳＣＨ送信ダイバーシティスキームは、次の２つのステップを含む。第１のステップはオープンループ送信ダイバーシティスキームであり、第２のステップは、アンテナポート重み付け処理である。上記オープンループ送信ダイバーシティスキームは、空間−周波数ブロックコーディング（ＳＦＢＣ：space-frequency block coding）、空間／時間ブロックコーディング（ＳＴＢＣ：space-time block coding）、周波数選択的送信ダイバーシティ（ＦＳＴＤ：frequency selective transmission diversity）、または周期的遅延ダイバーシティ（ＣＤＤ：cyclic delay diversity）であってもよい。
【００８２】
上記オープンループダイバーシティ処理の後に、アンテナポート重み付け処理が行われてもよい。シングルキャリア−周波数ダイバーシティマルチアクセス（ＳＣ−ＦＤＭＡ：single carrier - frequency diversity multiple access）が使用されると仮定した場合、離散型フーリエ変換（ＤＦＴ：discrete Fourier transform）と、逆高速フーリエ変換（ＩＦＦＴ：inverse fast Fourier transform）と、ＣＰ挿入処理とが、上記オープンループ送信ダイバーシティ処理および上記アンテナポート重み付け処理の後に行われてもよい。これはＦＳＴＤ（図２４）、およびＣＣＤ（図２６）に関するケースである。別の例として、ＩＦＦＴやＣＰ挿入処理が、上記オープンループ送信ダイバーシティ処理および上記アンテナポート重み付け処理の後に行われてもよい。これはＳＦＢＣに関するケースである（図２５）。
【００８３】
図２４は、上記オープンループ送信ダイバーシティスキームのＦＳＴＤとしての実施例を示す図である。上記ＦＳＴＤオープンループ送信ダイバーシティスキームは、コードブロック分割部２４３２、チャネルコーディング部２４３４、変調部２４３６、およびアンテナ分割部２４３８を含む。アンテナ分割部２４３８は２つの出力を持つ。アンテナ分割部２４３８の第１の出力は、第１のアンテナポート重み付け部２４２６ａ、第１の離散型フーリエ変換（ＤＦＴ）部２４４０ａ、第１のサブキャリアマッピング部２４４２ａ、第１の逆高速フーリエ変換（ＩＦＦＴ）部２４４４ａ、および第１の周期的プレフィックス（ＣＰ：cyclic prefix）挿入部２４４６ａによって処理される。アンテナ分割部２４３８の第２の出力は、第２のアンテナポート重み付け部２４２６ｂ、第２のＤＦＴ部２４４０ｂ、第２のサブキャリアマッピング部２４４２ｂ、第２のＩＦＦＴ部２４４４ｂ、および第２のＣＰ挿入部２４４６ｂによって処理される。
【００８４】
図２５は、上記オープンループ送信ダイバーシティスキームのＳＦＢＣとしての実施例を示す図である。上記ＳＦＢＣオープンループ送信ダイバーシティスキームは、直交振幅変調（ＱＡＭ：quadrature amplitude modulation）部２５４８、Ｍ−ＤＦＴ部２５５０、ブロック逆多重化部２５５２、および空間−時間コーディング部２５５４を含む。空間−時間コーディング部２５５４は２つの出力を持つ。空間−時間コーディング部２５５４の第１の出力は、第１のアンテナポート重み付け部２５２６ａ、第１のサブキャリアマッピング部２５４２ａ、第１のＮ−ＩＤＦＴ（inverse discrete Fourier transform）部２５５６ａ、および第１のＣＰ挿入部２５４６ａによって処理される。空間−時間コーディング部２５５４の第２の出力は、第２のアンテナポート重み付け部２５２６ｂ、第２のサブキャリアマッピング部２５４２ｂ、第２のＮ−ＩＤＦＴ部２５５６ｂ、および第２のＣＰ挿入部２５４６ｂによって処理される。
【００８５】
図２６は、オープンループ送信ダイバーシティスキームのＣＤＤとしての実施例を示す図である。上記ＣＤＤオープンループ送信ダイバーシティスキームは、コードブロック分割部２６３２、チャネルコーディング部２６３４、および変調部２６３６を含む。変調部２６３６は２つの出力を持つ。変調部２６３６の第１の出力は、第１のアンテナポート重み付け部２６２６ａ、第１のＤＦＴ部２６４０ａ、第１のサブキャリアマッピング部２６４２ａ、第１のＩＦＦＴ部２６４４ａ、および第１のＣＰ挿入部２６４６ａによって処理される。変調部２６３６の第２の出力は、周期的遅延部２６５８、第２のアンテナポート重み付け部２６２６ｂ、第２のＤＦＴ部２６４０ｂ、第２のサブキャリアマッピング部２６４２ｂ、第２のＩＦＦＴ部２６４４ｂ、および第２のＣＰ挿入部２６４６ｂによって処理される。
【００８６】
図２７Ａに示すように、アンテナポート重み付け処理２７２６ａは、入力信号にパラメータｘ（重み付けベクトル）を乗じてもよい。別の例として、図２７Ｂに示すように、アンテナポート重み付け処理２７２６ｂは、入力信号に
【００８７】
【数５】
0005508554.tif 000006
（重み付けベクトル）を乗じてもよい。どちらのケースでも、ｘはx={1,sqrt(1/2),0}、x={1,sqrt(1/3),sqrt(1/2),sqrt(2/3),0}、またはx={1,sqrt(1/6),sqrt(1/3),sqrt(1/2),sqrt(2/3),sqrt(5/6),0}のいずれであってもよい。図２７Ａおよび図２７Ｂに示すアンテナポート重み付け処理２７２６ａ、２７２６ｂは、いずれも図２４−２６にて示したアンテナポート重み付け部２４２６ａ、２４２６ｂ、２５２６ａ、２５２６ｂ、２６２６ａ、２６２６ｂとして利用されてもよい。アンテナポート重み付けは、データと復調リファレンス信号（ＤＭＲＳ：demodulation reference signal）との両方に適用されてもよい。２つのアップリンク送信アンテナ１０６ａ、１０６ｂがあるケースにおいて、ｘ＝０または１のとき、これは事実上１つのアンテナ１０６による送信を暗黙的に示している。
【００８８】
無線通信装置１０４は、送信ダイバーシティモード１１６ｂにあるとき、常に２つのアンテナ１０６ａ、１０６ｂを使用するように設定されてもよい。例えば、第２のケース３２０（図３）において、送信ダイバーシティモード１１６ｂはマルチアンテナポートモード１１４ｂのみに属する。しかしながら、アンテナゲインの均衡の大きな崩れが送信ダイバーシティのパフォーマンスを低下させる虞がある。さらに、送信ダイバーシティモード１１６ｂはバッテリーをより多く消費する。このため、無線通信装置１０４が送信ダイバーシティモード１１６ｂにあるときは、マルチアンテナポートモード１１４ｂからシングルアンテナポートモード１１４ａへ移行することが、無線通信装置にとって有益でありうる。
【００８９】
本発明が開示するシステムおよび方法の少なくともいくつかの態様は、送信ダイバーシティモード１１６ｂを使用中、シングルアンテナポートモード１１４ａとマルチアンテナポートモード１１４ｂとを切り換えることに関する。上記切り換えを行うための、少なくとも３つの異なるメカニズムが存在する。第１に、無線通信装置１０４は、上記ｘの値を自律的に（すなわち、基地局１０２から無線通信装置１０４に対する明示的または暗黙的な信号を一切伴わずに）選択することができる。第２に、基地局１０２は、ｘを物理ダウンリンク制御チャネル（ＰＤＣＣＨ：physical downlink control channel）信号によって設定してもよい。第３に、無線通信装置１０４は、基地局１０２によって設定された上記ｘ値を上書きしてもよい。送信ダイバーシティモード１１６ｂにおける、シングルアンテナポートモード１１４ａとマルチアンテナポートモード１１４ｂとの間の柔軟な移行を許可することは、アンテナゲインの均衡の大きな崩れがある場合のパフォーマンスを向上させるとともに、電力を抑えることができ、従って、バッテリーのパフォーマンスを向上させることができる。
【００９０】
上述した第１のメカニズムは、無線通信装置１０４が送信ダイバーシティモード１１６ｂにある間、上記ｘの値を自律的に選択することができるというものである。換言すれば、基地局１０２からの無線通信装置１０４に対する明示的または暗黙的な信号を一切伴わずに、無線通信装置１０４は上記ｘの値を変更することができる。アンテナポート重み付け処理２７２６を、データおよびＤＭＲＳの両方に適用することで、基地局１０２による受信処理は、無線通信装置１０４で使用される上記ｘ値を透過的にする。従って、無線通信装置１０４は上記ｘの値を自律的に選択することができる。さらに、アンテナ１０６ａと１０６ｂとの間でアンテナゲインの均衡の大きな崩れがある場合、この提案されたスキームは、一方のアンテナ１０６ｂのゲインが小さすぎるとき、もう一方のアンテナ１０６ａに全ての送信電力を使用することができるため、パフォーマンスを向上させることができる。別の例として、無線通信装置１０４のバッテリーレベルが低いとき、１つのアンテナ１０６ａのみを使用する（すなわち、上記ｘの値を１に設定する）ことで、バッテリーの寿命を延ばすことができる。しかしながら、アンテナ１０６のゲインの不均衡、および無線通信装置１０４のバッテリーレベルは、両方とも無線通信装置１０４においてのみ知り得る情報である。このため、無線通信装置１０４がｘ値を自律的に選択できることが有益でありうる。
【００９１】
経路損失情報または無線通信装置１０４のバッテリーレベル（ダウンリンクリファレンス信号の受信を通して、無線通信装置１０４側において測定されてもよい）に基づき、無線通信装置１０４は、ｘを自律的に選択してもよい。例えば、無線通信装置１０４が上記ダウンリンクリファレンス信号を測定し、上記アンテナゲインの均衡の大きな崩れ（または大きな経路損失差）を検知すると、無線通信装置１０４は、基地局１０２に対する信号を一切伴わずに、上記ｘの値を１に設定してもよい。別の例として、無線通信装置１０４が上記バッテリーレベルを測定し、上記バッテリーレベルが低いことを検知すると、無線通信装置１０４は、基地局１０２に対する信号を一切伴わずに、上記ｘの値を１に設定してもよい。
【００９２】
一方、基地局１０２が、上記アップリンクチャネルおよびアンテナゲインの不均衡（例えば、チャネルの相互関係に基づくチャネル推定、または無線通信装置１０４からのフィードバックによる）、または、無線通信装置１０４におけるバッテリー状態を推定すると、基地局１０２は、無線通信装置１０４において使用される上記ｘの値を設定することができる。従って、ネットワークは、無線通信装置１０４による予期しない挙動を回避することができる。
【００９３】
上記ＰＤＣＣＨは、アンテナポート重み付けビットを明示的に含んでいてもよい。例えば、x={1,sqrt(1/2),0}のとき、無線通信装置１０４に上記ｘ値を知らせるために、少なくとも２ビットが必要とされてもよい。上記ＰＤＣＣＨは、無線通信装置１０４に上記ｘ値を知らせるために、２ビットを搬送してもよい。別の解決方法として、ＰＤＣＣＨがアンテナポート重み付けビットを暗黙的に含むようにしてもよい。例えば、図２８に示すように、無線通信装置１０４の識別子は、ｘ指数を表す暗黙的な信号によってマスクされてもよい。
【００９４】
基地局１０２は、無線通信装置１０４から報告される経路損失情報（例えば、リファレンス信号受信電力）に基づき、上記ｘの値を選択してもよい。別の例として、基地局１０２は、ＳＲＳの受信を通して基地局１０２側で測定された経路損失情報に基づき、上記ｘの値を選択してもよい。いずれのケースにおいても、基地局１０２はＰＤＣＣＨによってｘを設定してもよい。
【００９５】
無線通信装置１０４は、基地局１０２によって設定された上記ｘの値を上書きしてもよい。ＰＤＣＣＨで基地局１０２によって送信された設定済みの上記ｘ値を上書きするイベントにおいて、無線通信装置１０４は、基地局１０２に対して上記ｘ値の選択を信号によって通知する必要があってもよい。これはＰＵＳＣＨ１０８の送信によって為されてもよい。例えば、図２９に示すように、無線通信装置１０４は、ＰＵＳＣＨ１０８およびＰＵＣＣＨ１１０ａ、１１０ｂを同一のサブフレームにおいて送信し、ＰＵＣＣＨ１１０ａは、ＰＵＳＣＨ１０８の送信で使用されている上記ｘ値を搬送してもよい。別の例として、図３０に示すように、ＰＵＳＣＨ１０８は、ｘ値３０２８を制御情報として搬送してもよい。ｘ値３０２８を搬送するシンボルおよびサブキャリアは、所定のｘ値３０２８（例えば、”ｘ＝１”）を使用してもよく、その他の部分は“受信したｘ値”が使用された場合を想定して復号化されてもよい。さらに別の例として、図３１に示すように、ＰＵＳＣＨ１０８内のＣＲＣ３０３０は“ｘ値”３０２８によってマスクされていてもよい。このケースでは、基地局１０２は、複数個のｘ値３０２８をパラメータとして試すことで、受信したＰＵＳＣＨ１０８を複数回復号化してもよい。
【００９６】
基地局１０２が、ＰＵＳＣＨ１０８の受信に基づき推定された“ｘ値”により無線通信装置１０４がシングルアンテナポートモード１１４ａへ自律的に移行したことを検出すると、基地局１０２は、マルチアンテナポートモード１１４ｂからシングルアンテナポートモード１１４ａへ無線通信装置１０４が自律的に移行したと見做してもよい。
【００９７】
図３２は、無線通信装置３２０４において利用され得る各種構成要素を示す図である。無線通信装置３２０４は、図１の無線通信装置１０４として利用されてもよい。無線通信装置３２０４は、無線通信装置３２０４の処理を制御するプロセッサ３２９６を備えている。プロセッサ３２９６はＣＰＵと呼称されてもよい。メモリ３２８８は、ＲＯＭ（read only memory）とＲＡＭ（random access memory）との両方、または情報を蓄積できる任意のタイプの装置を備えていてもよく、命令３２８９ａとデータ３２９０ａとを、プロセッサ３２９６に与える。メモリ３２８８の一部は、不揮発性（non-volatile）のランダムアクセスメモリ（ＮＶＲＡＭ）をさらに備えていてもよい。プロセッサ３２９６内にさらに命令３２８９ｂおよびデータ３２９０ｂが存在していてもよい。プロセッサ３２９６に読み込まれた命令３２８９ｂは、プロセッサ３２９６によって実行されるためにメモリ３２８８から読み込まれた、命令３２８９ａをさらに含んでいてもよい。命令３２８９ｂは、本発明が開示する方法を実施するために、プロセッサ３２９６によって実行されてもよい。
【００９８】
無線通信装置３２０４は、データの送受信を可能にするトランスミッタ３２９２とレシーバ３２９３とを備える筐体をさらに備えていてもよい。トランスミッタ３２９２およびレシーバ３２９３は、トランシーバ３２９７として組み合わせられていてもよい。上記筐体にアンテナ３２９８が取り付けられ、トランシーバ３２９７と電気的に結合されていてもよい。追加のアンテナがさらに用いられてもよい。
【００９９】
無線通信装置３２０４の各種構成要素はバスシステム３２９１によって互いに結合されており、上記バスシステム３２９１はデータバスに加え、電力バス、制御信号バス、および状態信号バスを含んでいてもよい。しかしながら、説明の分かりやすさのために、上記各種バスは、図３２においてはバスシステム３２９１として図示されている。無線通信装置３２０４は、信号処理用にＤＳＰ（digital signal processor）３２９４をさらに備えていてもよい。無線通信装置３２０４は、ユーザに無線通信装置３２０４にアクセスするための機能を提供するコミュニケーションインターフェース３２９５をさらに備えていてもよい。図３２に示される無線通信装置３２０４は、特定の構成要素のリストというよりはむしろ機能ブロック図である。
【０１００】
図３３は、基地局３３０２において利用され得る各種構成要素を示す図である。基地局３３０２は、図１の基地局１０２として利用されてもよい。基地局３３０２は、無線通信装置３２０４と関連して上に記載した構成要素と類似のもの、すなわち、プロセッサ３３９６、プロセッサ３３９６に命令３３８９ａとデータ３３９０ａとを与えるメモリ３３８８、プロセッサ３３９６内に存在する命令３３８９ｂおよびデータ３３９０ｂ、トランスミッタ３３９２とレシーバ３３９３と（トランシーバ３３９７として組み合わせられてもよい）を備える筐体、トランシーバ３３９７と電気的に結合されたアンテナ３３９８、バスシステム３３９１、信号処理用のＤＳＰ３３９４、コミュニケーションインターフェース３３９５、などを備えていてもよい。
【０１０１】
本発明のいくつかの実施形態が開示する無線通信装置は、プロセッサと、上記プロセッサと電気的に通信するメモリと、上記メモリに保持されている命令と、を備え、上記命令は、マルチアンテナポートモードからシングルアンテナポートモードへの自律的移行と、上記自律的移行について基地局に対して暗黙的に通知すること、または上記マルチアンテナポートモードからシングルアンテナポートモードへの移行を明示的に通知することと、を実行可能であることを特徴とする。
【０１０２】
本発明のいくつかの実施形態が開示する基地局は、プロセッサと、上記プロセッサと電気的に通信するメモリと、上記メモリに保持されている命令と、を備え、上記命令は、無線通信装置によるマルチアンテナポートモードからシングルアンテナポートモードへの自律的移行の検出と、過去に上記無線通信装置に割り当てられていたリソースで、現在では該無線通信装置に使用されていなリソースの再割り当てと、を実行可能であることを特徴とする。
【０１０３】
本発明が開示する各方法は、記載された方法を達成するために、それぞれ１つ以上のステップ、または動作を含んでいる。上記方法のステップおよび／または動作の相互置き換えは、特許請求の範囲に含まれるものである。換言すれば、記載されている方法の適切な実施のために、ステップまたは動作の特定の順序が必要である場合を除き、特定のステップおよび／または動作の順序および／または使用は、特許請求の範囲から外れない限り変更され得る。
【０１０４】
上記特許請求の範囲は、上で示した特定の設定および構成要素に限定されるものではないことを理解されたい。本発明が開示するシステム、方法、装置の設計、動作、および詳細に関しては、特許請求の範囲内において、様々な修正、変更、変化がなされてもよい。
【図１】
0005508554.tif 000007
【図２】
0005508554.tif 000008
【図３】
0005508554.tif 000009
【図４】
0005508554.tif 000010
【図５】
0005508554.tif 000011
【図６】
0005508554.tif 000012
【図７】
0005508554.tif 000013
【図８】
0005508554.tif 000014
【図９】
0005508554.tif 000015
【図１０】
0005508554.tif 000016
【図１１】
0005508554.tif 000017
【図１２】
0005508554.tif 000018
【図１３】
0005508554.tif 000019
【図１４】
0005508554.tif 000020
【図１５】
0005508554.tif 000021
【図１６】
0005508554.tif 000022
【図１７】
0005508554.tif 000023
【図１８】
0005508554.tif 000024
【図１９】
0005508554.tif 000025
【図２０】
0005508554.tif 000026
【図２１】
0005508554.tif 000027
【図２２】
0005508554.tif 000028
【図２３】
0005508554.tif 000029
【図２４】
0005508554.tif 000030
【図２５】
0005508554.tif 000031
【図２６】
0005508554.tif 000032
【図２７Ａ】
0005508554.tif 000033
【図２７Ｂ】
0005508554.tif 000034
【図２８】
0005508554.tif 000035
【図２９】
0005508554.tif 000036
【図３０】
0005508554.tif 000037
【図３１】
0005508554.tif 000038
【図３２】
0005508554.tif 000039
【図３３】
0005508554.tif 000040